(57)【特許請求の範囲】
【請求項１】
複数の遊技機を設置した遊技場の経営状態を管理する遊技場管理装置において、
機種別売上集計手段と、売上構成比算出手段と、台数管理手段と、台構成比算出手段と、部門構成比算出手段と、売上貢献度算出手段と、機種別入玉出玉数集計手段と、機種別貸出数集計手段と、粗利額算出手段と、粗利構成比算出手段と、粗利貢献度算出手段と、稼働構成比算出手段と、稼働貢献度算出手段と、入玉数履歴記憶手段と、成長性算出手段と、グラフ表示手段とを備え、
前記機種別売上集計手段は、前記遊技機で遊技を行うために遊技者が支払った金額としての売上額を機種別に集計するものであり、
前記売上構成比算出手段は、前記機種別売上集計手段の収集した売上額の遊技場全体での合計額に対する機種毎の売上額の比である売上構成比を各機種ごとに求めるものであり、
前記台数管理手段は、前記遊技場内に設置されている遊技機の台数を機種別に管理するものであり、
前記台構成比算出手段は、遊技場全体での遊技機の総台数に対する機種ごとの台数の比である台構成比を各機種ごとに求めるものであり、
前記売上貢献度算出手段は、前記売上構成比を前記台構成比で除することによって遊技機１台当たりの前記遊技場全体での平均売上額に対する遊技機１台当たりの機種毎での平均売上額の比である売上貢献度を各機種別に求めるものであり、
前記機種別入玉出玉数集計手段は、遊技機に投入された遊技媒体の個数である入玉数と遊技機から賞として払い出された遊技媒体の個数である出玉数とを各機種別に集計するものであり、
前記機種別貸出数集計手段は、遊技者に貸し出した遊技媒体の個数である貸出数を機種別に集計するものであり、
前記粗利額算出手段は、前記出玉数に前記貸出数を加えたものから前記入玉数を減じた値に景品交換単価を乗じたものを前記売上額から差し引いた粗利額を機種別に求めるものであり、
前記粗利構成比算出手段は、前記粗利額の遊技場全体での合計額に対する機種毎の粗利額の比である粗利構成比を各機種ごとに求めるものであり、
前記粗利貢献度算出手段は、前記粗利構成比を前記台構成比で除することによって遊技機１台当たりの前記遊技場全体での遊技機１台当たりの平均粗利額に対する遊技機１台当たりの機種毎での平均粗利額の比である粗利貢献度を各機種別に求めるものであり、
遊技場内に設置されている複数の遊技機を２以上のグループに区分けし、
前記稼働構成比算出手段は、前記グループ毎での前記入玉数の合計値に対する当該グループに属する機種毎の入玉数の比である稼働構成比を各機種ごとに求めるものであり、
前記部門構成比算出手段は、前記各グループにおける遊技機の総台数に対する当該グループ内での機種ごとの台数の比である部門構成比を各機種ごとに求めるものであり、
前記稼働貢献度算出手段は、前記稼働構成比を前記部門構成比で除することによって前記各グループにおける遊技機１台当たりの平均入玉数に対する遊技機１台当たりの機種毎での平均入玉数の比である稼働貢献度を各機種別に求めるものであり、
前記入玉数履歴記憶手段は、前記機種別入玉出玉数集計手段による入玉数の集計結果を少なくとも所定日数から成る単位期間の２倍の日数分前までの期間について記憶するものであり、
前記成長性算出手段は、前記入玉履歴記憶手段に記憶されている一の単位期間中における前記入玉数の平均値と前記一の単位期間の１つ前の単位期間中における入玉数の平均値との比である成長性の値を機種別に求めるものであり、
前記グラフ表示手段は、前記売上貢献度を示す軸と前記粗利貢献度を示す軸と前記稼働貢献度を示す軸と前記成長性を示す軸とで囲まれた矩形のグラフ表示領域と、これに経営状態を示すグラフを描画するグラフ描画手段とを備え、
前記売上貢献度の軸と前記粗利貢献度の軸とは平行であってこれらの軸の貢献度の増加方向が互いに同一であり、
前記成長性の軸は、前記売上貢献度および前記粗利貢献度の高い側に存する一辺を成しかつ前記売上貢献度の軸の存する側に向かって成長性が増加するものであり、
前記稼働貢献度の軸は、前記成長性の軸と平行な残りの一辺を成しかつ前記売上貢献度の軸の存する側に向かって貢献度が増加するものであり、
前記グラフ描画手段は、任意の機種について、前記売上貢献度算出手段によって算出された売上貢献度の値と前記粗利貢献度算出手段によって算出された粗利貢献度の値とをそれぞれ対応する軸上に表した２つの点を結ぶ直線と、前記稼働貢献度算出手段によって算出された稼働貢献度の値と前記成長性算出手段によって算出された成長性の値とをそれぞれ対応する軸上に表した２つの点を結ぶ直線とを前記グラフ表示領域上に描画することを特徴とする遊技場管理装置。
【発明の詳細な説明】
【０００１】
【発明の属する技術分野】
本発明は、複数の遊技機を設置した遊技場の経営状態を管理する遊技場管理装置に関する。
【０００２】
【従来の技術】
従来、遊技場内に設置されたパチンコ機やスロット機などの複数の遊技機の稼働状態等の分析は、入玉数や出玉数等を基準に行われていた。たとえば、特開平６−７５２５号公報に開示されている遊技場管理装置は、各遊技機の入玉データおよび出玉データを集計し、１つの表示画面内に複数の遊技機についての集計値をグラフ化して表示し、各遊技機における玉の収支を一目で対比可能に表示するようになっている。
【０００３】
また特開平７−２４１２３号公報に開示されているものでは、遊技機からの差玉データ（入玉−出玉）と玉貸機からの売上データとを時系列でグラフ化したものを各遊技機ごとに表示するようになっている。
【０００４】
【発明が解決しようとする課題】
しかしながら、特開平６−７５２５号に開示されたものでは、１つの画面内に、入玉と出玉の収支状況だけがグラフ化して表示されるので、当該１つの画面に表示される資料だけでは不十分であり、遊技場の経営方針を的確に決定することができなかった。
【０００５】
また特開平７−２４１２３号公報に開示されたものでは、特定の遊技機の差玉データと売上データとを時系列に表示するだけなので、他の遊技機との比較を行い難かった。
【０００６】
このように従来の技術は、遊技場の経営方針を決定するために必要となる多様な判断資料の中の一部分だけを１つの画面内にグラフ化して表示する機能しか備えていないので、表示されたグラフから多数の項目を総合的に勘案して遊技場の経営方針を決定することができなかった。さらに、入玉出玉の収支状況等を表したデータの絶対値をグラフ表示しているので、遊技場全体の経営に対する各遊技機の貢献度を相対評価することができず、たとえば、どの遊技機を入れ替えるべきか等の経営判断を的確に行い難いという問題があった。
【０００７】
本発明は、このような従来の技術が有する問題点に着目してなされたもので、遊技場の経営に対する各機種の貢献度等を各種の項目について算出するとともに、これら各種の貢献度等を一目で総合的に判断できる形式で表示することのできる遊技場管理装置を提供することを目的としている。
【０００８】
【課題を解決するための手段】
かかる目的を達成するための本発明の要旨とするところは、次の各項の発明に存する。
［１］複数の遊技機（２００）を設置した遊技場の経営状態を管理する遊技場管理装置において、
機種別売上集計手段（１２１）と、売上構成比算出手段（１３１）と、台数管理手段（１４０）と、台構成比算出手段（１４１）と、部門構成比算出手段（１４２）と、売上貢献度算出手段（１５１）と、機種別入玉出玉数集計手段（１２２）と、機種別貸出数集計手段（１２３）と、粗利額算出手段（１２４）と、粗利構成比算出手段（１３２）と、粗利貢献度算出手段（１５２）と、稼働構成比算出手段（１３３）と、稼働貢献度算出手段（１５３）と、入玉数履歴記憶手段（１６１）と、成長性算出手段（１６２）と、グラフ表示手段（１７０）とを備え、
前記機種別売上集計手段（１２１）は、前記遊技機（２００）で遊技を行うために遊技者が支払った金額としての売上額を機種別に集計するものであり、
前記売上構成比算出手段（１３１）は、前記機種別売上集計手段（１２１）の収集した売上額の遊技場全体での合計額に対する機種毎の売上額の比である売上構成比を各機種ごとに求めるものであり、
前記台数管理手段（１４０）は、前記遊技場内に設置されている遊技機（２００）の台数を機種別に管理するものであり、
前記台構成比算出手段（１４１）は、遊技場全体での遊技機（２００）の総台数に対する機種ごとの台数の比である台構成比を各機種ごとに求めるものであり、
前記売上貢献度算出手段（１５１）は、前記売上構成比を前記台構成比で除することによって遊技機１台当たりの前記遊技場全体での平均売上額に対する遊技機１台当たりの機種毎での平均売上額の比である売上貢献度を各機種別に求めるものであり、
前記機種別入玉出玉数集計手段（１２２）は、遊技機（２００）に投入された遊技媒体の個数である入玉数と遊技機（２００）から賞として払い出された遊技媒体の個数である出玉数とを各機種別に集計するものであり、
前記機種別貸出数集計手段（１２３）は、遊技者に貸し出した遊技媒体の個数である貸出数を機種別に集計するものであり、
前記粗利額算出手段（１２４）は、前記出玉数に前記貸出数を加えたものから前記入玉数を減じた値に景品交換単価を乗じたものを前記売上額から差し引いた粗利額を機種別に求めるものであり、
前記粗利構成比算出手段（１３２）は、前記粗利額の遊技場全体での合計額に対する機種毎の粗利額の比である粗利構成比を各機種ごとに求めるものであり、前記粗利貢献度算出手段（１５２）は、前記粗利構成比を前記台構成比で除することによって遊技機１台当たりの前記遊技場全体での遊技機１台当たりの平均粗利額に対する遊技機１台当たりの機種毎での平均粗利額の比である粗利貢献度を各機種別に求めるものであり、
遊技場内に設置されている複数の遊技機（２００）を２以上のグループに区分けし、
前記稼働構成比算出手段（１３３）は、前記グループ毎での前記入玉数の合計値に対する当該グループに属する機種毎の入玉数の比である稼働構成比を各機種ごとに求めるものであり、
前記部門構成比算出手段（１４２）は、前記各グループにおける遊技機（２００）の総台数に対する当該グループ内での機種ごとの台数の比である部門構成比を各機種ごとに求めるものであり、
前記稼働貢献度算出手段（１５３）は、前記稼働構成比を前記部門構成比で除することによって前記各グループにおける遊技機１台当たりの平均入玉数に対する遊技機１台当たりの機種毎での平均入玉数の比である稼働貢献度を各機種別に求めるものであり、
前記入玉数履歴記憶手段（１６１）は、前記機種別入玉出玉数集計手段（１２２）による入玉数の集計結果を少なくとも所定日数から成る単位期間の２倍の日数分前までの期間について記憶するものであり、
前記成長性算出手段（１６２）は、前記入玉履歴記憶手段に記憶されている一の単位期間中における前記入玉数の平均値と前記一の単位期間の１つ前の単位期間中における入玉数の平均値との比である成長性の値を機種別に求めるものであり、
前記グラフ表示手段（１７０）は、前記売上貢献度を示す軸と前記粗利貢献度を示す軸と前記稼働貢献度を示す軸と前記成長性を示す軸とで囲まれた矩形のグラフ表示領域（１７１）と、これに経営状態を示すグラフを描画するグラフ描画手段（１７２）とを備え、
前記売上貢献度の軸と前記粗利貢献度の軸とは平行であってこれらの軸の貢献度の増加方向が互いに同一であり、
前記成長性の軸は、前記売上貢献度および前記粗利貢献度の高い側に存する一辺を成しかつ前記売上貢献度の軸の存する側に向かって成長性が増加するものであり、
前記稼働貢献度の軸は、前記成長性の軸と平行な残りの一辺を成しかつ前記売上貢献度の軸の存する側に向かって貢献度が増加するものであり、
前記グラフ描画手段（１７２）は、任意の機種について、前記売上貢献度算出手段（１５１）によって算出された売上貢献度の値と前記粗利貢献度算出手段（１５２）によって算出された粗利貢献度の値とをそれぞれ対応する軸上に表した２つの点を結ぶ直線と、前記稼働貢献度算出手段（１５３）によって算出された稼働貢献度の値と前記成長性算出手段（１６２）によって算出された成長性の値とをそれぞれ対応する軸上に表した２つの点を結ぶ直線とを前記グラフ表示領域（１７１）上に描画することを特徴とする遊技場管理装置。
【０００９】
前記本発明は次のように作用する。
機種別売上集計手段（１２１）は、遊技機（２００）で遊技を行うために遊技者が支払った金額としての売上額を機種別に集計する。売上構成比算出手段（１３１）は、機種別売上集計手段（１２１）の収集した売上額の遊技場全体での合計額に対する機種毎の売上額の比である売上構成比を各機種ごとに求める。台数管理手段（１４０）は、遊技場内に設置されている遊技機（２００）の台数を機種別に管理し、台構成比算出手段（１４１）は、遊技場全体での遊技機（２００）の総台数に対する機種ごとの台数の比である台構成比を各機種ごとに求める。
【００１０】
売上貢献度算出手段（１５１）は、売上構成比算出手段（１３１）によって求めた売上構成比を台構成比算出手段（１４１）によって求めた台構成比で除することにより、遊技場全体における遊技機１台当たりの平均売上額に対する機種毎における遊技機１台当たりの平均売上額の比を表した売上貢献度を各機種別に求める。
【００１１】
機種別入玉出玉数集計手段（１２２）は、遊技機（２００）に投入された遊技媒体の個数である入玉数と遊技機（２００）から賞として払い出された遊技媒体の個数である出玉数とを各機種別に集計する。機種別貸出数集計手段（１２３）は、遊技者に貸し出した遊技媒体の個数である貸出数を機種別に集計し、粗利額算出手段（１２４）は、出玉数に貸出数を加えたものから入玉数を減じた値に景品交換単価を乗じたものを売上額から差し引いた粗利額を機種別に求める。粗利構成比算出手段（１３２）は、粗利額の遊技場全体での合計額に対する機種毎の粗利額の比である粗利構成比を各機種ごとに求める。
【００１２】
粗利貢献度算出手段（１５２）は、粗利構成比を台構成比で除することによって遊技場全体における遊技機１台当たりの平均粗利額に対する機種毎における遊技機１台当たりの平均粗利額の比を表した粗利貢献度を各機種別に求める。
【００１３】
遊技場内に設置されている複数の遊技機（２００）は２以上のグループに区分けされている。たとえば、パチンコ機のグループとスロット機のグループのように、遊技場内に設置されている複数の遊技機（２００）を、遊技に用いる遊技媒体の種類の違いに基づいてグループ分けしておき、遊技機（２００）に投入された遊技媒体の個数である入玉数を機種別入玉数集計手段（１２２）によって各機種別に集計する。稼働構成比算出手段（１３３）は、グループ毎での入玉数の合計値に対する当該グループに属する機種毎の入玉数の比である稼働構成比を各機種ごとに求める。
【００１４】
部門構成比算出手段（１４２）は、各グループ内での遊技機（２００）の総台数に対する当該グループ内での機種ごとの台数の比を表した部門構成比を各機種ごとに求める。稼働貢献度算出手段（１５３）は、稼働構成比を部門構成比で除することによって、各グループにおける遊技機１台当たりの平均入玉数に対する機種毎における遊技機１台当たりの平均入玉数の比を表した稼働貢献度を各機種別に求める。
【００１５】
入玉数履歴記憶手段（１６１）は、機種別入玉数集計手段（１２２）による集計結果を少なくとも所定日数から成る単位期間の２倍の日数分前までの期間について記憶する。成長性算出手段（１６２）は、入玉履歴記憶手段に記憶されている一の単位期間中における入玉数の平均値とこの単位期間の１つ前の単位期間中における入玉数の平均値との比を表した成長性の値を機種別に求める。たとえば、１０日間を単位期間に設定すれば、最近の１０日間における稼働率とその前の１０日間における稼働率との比を成長性の値として求めることができ、その遊技機（２００）の人気度の変化を容易に把握することができる。
【００１６】
グラフ表示手段（１７０）は、売上貢献度を示す軸と粗利貢献度を示す軸と稼働貢献度を示す軸と成長性を示す軸とで囲まれた矩形のグラフ表示領域（１７１）を備え、グラフ描画手段（１７２）は、グラフ表示領域（１７１）上に、経営方針を定める際に役立つ前述の４つの資料を総合的に把握可能なように表示する。
【００１７】
すなわち、売上貢献度の軸と粗利貢献度の軸とは平行であってこれらの軸の貢献度の増加方向が互いに同一であり、成長性の軸は、売上貢献度および粗利貢献度の高い側の一辺を成しかつ売上貢献度の軸の存する側に向かって成長性が増加するように配置される。稼働貢献度の軸は、成長性の軸と平行な残りの一辺を成しかつ売上貢献度の軸の存する側に向かって貢献度が増加するように配置される。
【００１８】
グラフ描画手段（１７２）は、任意の機種について、売上貢献度の値と粗利貢献度の値とをそれぞれ対応する軸上に表した２つの点を結ぶ直線と、稼働貢献度の値と成長性の値とをそれぞれ対応する軸上に表した２つの点を結ぶ直線とをグラフ表示領域（１７１）上に描画する。
【００１９】
このように売上貢献度と粗利貢献度と稼働貢献度と成長性に対応する４つの座標軸で囲まれた領域を形成し、各貢献度および成長性の値を対応する軸上にプロットし、対向する軸にプロットした点同士を結んで２本の直線を描くので、これら２本の直線の交点の存する位置によって、遊技場の経営に対する各機種の貢献度を一目で総合的に判断することができる。
【００２０】
【発明の実施の形態】
以下、図面に基づき本発明の一実施の形態を説明する。
各図は、本発明の一実施の形態を示している。
図２は、本発明の一実施の形態にかかる遊技場管理装置を適用した分散型ネットワーク遊技場管理システム１０を示している。このシステムは、各遊技機島に複数の台コントローラ１１を設置し該台コントローラ１１にＬＯＮ（Local  Operating  Network）チップを用いて遊技機２００、遊技媒体貸出機３００、計数器４００等の検知、監視、制御を行うものである。
【００２１】
図３は、分散型ネットワーク遊技場管理システム１０における各信号線の接続状態を示したものである。この図では主として、各端末機（遊技機２００、遊技媒体貸出機３００、計数器４００）と、ホール管理端末機１００等の間で授受される信号を示している。
【００２２】
遊技機２００からは、遊技者が打ち込んだ遊技媒体数であって遊技場５０にとって利益となる遊技媒体数（入玉数）を表した利益信号２１と、遊技者が遊技機２００で獲得した遊技媒体数であって遊技場５０にとって不利益となる遊技媒体数（出玉数）を表した不利益信号２２とが台コントローラ１１に向けて出力される。
【００２３】
また、遊技機２００の遊技盤面上に設けたスタートチャッカーに遊技者の打ち出した遊技媒体が入賞したことを契機に所定の表示画面上で開始される図柄合わせゲームの実行状況（実行回数または実行を開始した旨）に関する情報を示すスタート信号２３と、表示画面上で実行された図柄合わせゲーム等において所定条件が満たされ、これにより遊技者に所定数の遊技媒体が放出される特賞状態に関する情報を表した特賞信号２４とが遊技機２００から台コントローラ１１へと出力される。
【００２４】
さらに、遊技機２００で不正を検出した際に出力される不正信号２５、特賞状態に関して予め定められた条件を満たすことにより次回の特賞状態に移行される確率を高める確率変動に関する確率変動信号２６等が遊技機２００から台コントローラ１１を介して遊技場管理装置１００等に送信される。
【００２５】
また、ホール管理端末機１００から遊技機２００に対して、特賞状態に応じて遊技者に払出される遊技媒体数が所定数以上になった際に当該遊技機２００での遊技を制限するための打止信号２７と、打止信号２７により打止状態に移行された遊技機２００の打止状態を解除するための解放信号２８と、遊技機２００内に補給されている遊技媒体数が減少することに伴う補給信号２９が送信されるようになっている。
【００２６】
計数器４００からは台コントローラ１１に向けて、遊技者が獲得した遊技媒体数を計数した結果である計数信号３１と、計数器４００が異常を検出した旨を示す異常信号３２と断線信号３３とが送信される。また、遊技媒体貸出機３００から台コントローラ１１に向けては、遊技者が貨幣を投入し遊技媒体の貸し出しを受けた旨を示す売上信号３４等が送信される。
【００２７】
図４は、遊技場５０全体の様子を示した斜視図であり、遊技場５０に多数設置された遊技機２００毎に遊技媒体貸出機３００が設置されている。遊技場５０内には、これら遊技機２００および遊技媒体貸出機を多数並設した遊技島５１が複数形成されている。また、遊技場５０には景品交換所５２が設けられている。景品交換所５２は、遊技機２００で遊技を行うことによって遊技者が獲得した遊技媒体の数に応じて、これらの遊技媒体をその遊技者の所望する景品に交換する所である。
【００２８】
図５は、遊技媒体貸出機３００を示す斜視図であり、図６は遊技媒体貸出機３００の回路構成の概要を示したブロック図である。遊技媒体貸出機３００は、遊技者が遊技を行う際に用いる遊技媒体を、貨幣の投入に応じて貸し出す装置である。遊技媒体貸出機３００の正面パネルには、従業員等によって操作される図示しないリモコン装置から送信される信号を受信するためのリモコン受信部３０１、紙幣を挿入及び排出するための紙幣挿排口３０２、硬貨を投入するための硬貨投入口３０３、硬貨の返却を行うための硬貨返却手段３０４、各種情報等を表示する表示手段３０５等が上部から順に配置されている。
【００２９】
図６に示すように、遊技媒体貸出機３００は、各種機能を統括制御するＣＰＵ（中央処理装置）３２０を有し、当該ＣＰＵ３２０には、ＲＯＭ３１５、ＲＡＭ３１６のほか各種の回路装置が接続されている。このうち紙幣識別手段３２１は、紙幣投排口３０２から投入された紙幣の真偽およびその額面を判断する回路部分である。
【００３０】
硬貨識別手段３２２は、硬貨投入口３０３から投入された硬貨の真偽とその額面を判別し、必要な場合に釣り銭を硬貨返却口３０７から排出する機能を備えている。異常検出部３２３は、遊技媒体貸出機３００における故障の有無を検出するものである。
【００３１】
遊技媒体放出部３３０は、投入された金額等に応じて遊技媒体であるパチンコ球をノズル３０６から払い出す機能を有し、遊技媒体放出制御部３３１は、放出するパチンコ球の個数等を制御する回路部分である。表示手段３０５は、各種の情報を表示するための液晶ディスプレイである。情報受信部３４１は、台コントローラ１１から各種の情報を受信するための通信回路である。
【００３２】
遊技媒体貸出機３００の紙幣投排口３０２に投入された紙幣は装置内部に設けられた紙幣識別手段３２１によって真正な紙幣か否かが判別され、不正な紙幣の場合は紙幣投排口３０２から排出される。真正な紙幣の場合には、遊技媒体放出制御部３３１の制御の下、投入された紙幣の金額に見合う数の遊技媒体がノズル３０６を介して遊技機２００の上皿に直接払い出される。
【００３３】
また、硬貨により遊技媒体の貸し出しを受ける場合には、紙幣の場合と同様に硬貨識別手段３２２により真正な硬貨か否かを判別し、不正な硬貨である場合には、硬貨返却口３０７からこれを返却する。真正な硬貨である場合は、投入された硬貨の金額に見合う遊技媒体がノズル３０６を介して遊技機２００の上皿に直接払い出される。
【００３４】
図７は、遊技機２００を示している。遊技機２００は、ハンドル２０１の回転操作によって球を打ち出し、各種の入賞口への球の入賞を競うパチンコ機である。遊技機２００は、打ち出された球の流下する場としての遊技盤面２０２を備えている。遊技盤面２０２には入賞口や各種の役物、障害釘、アウト口などが配置されている。遊技盤面２０２の略中央部分には、図柄合わせゲーム等の画面遊技を表示するための可変表示装置２０３が設けられている。ここでは、可変表示装置２０３として、カラー液晶ディスプレイを用いている。なお、可変表示装置２０３として、モノクロ液晶ディスプレイやＣＲＴディスプレイなどを用いることもできる。
【００３５】
可変表示装置２０３のすぐ下方には、保留玉表示装置２０４があり、さらにその下方には、一般に、始動チャッカーと呼ばれる始動入賞口２１０が設けられている。始動入賞口２１０へ球が入賞することを契機として、可変表示装置２０３上で、所定の図柄を揃えるスロットマシーンに見立てた画面遊技が展開表示されるようになっている。保留玉表示装置２０４は、始動入賞口２１０に入賞した球の個数であって図柄合わせゲームの実行待ち状態になっているものの個数を４つを限度として表示するものである。ここでは、保留玉表示装置２０３の発光部としてＬＥＤ（発光ダイオード）を用いている。
【００３６】
始動入賞口２１０のさらに下方には、画面遊技で当たりが出たとき、遊技者に有利な特別価値を生じさせる可変入賞口２２０が設けられている。可変入賞口２２０は普段は閉じられているが、画面遊技で当たりが出たとき、複数回その入賞口の開閉動作を行い、球の入賞確率を高めるようになっている。
【００３７】
遊技盤面２０２の下部には、遊技に供される球を入れる前皿２０５が、さらにその下部には、前皿２０５から溢れた球を受け止める下皿２０６が設けられている。下皿２０６の右横には、球の発射を操作するためのハンドル２０１が設けられている。遊技機２００の上部には、電飾等のための各種表示ランプ２０７が配置されている。なお、遊技機２００の動作を制御する制御回路は、遊技盤面２０２の裏面等の機体内に取り付けられている。
【００３８】
図８は、遊技機２００の回路構成を示している。遊技機２００は、各種の制御の中枢的機能を果たすＣＰＵ（中央処理装置）２３１と、ＲＯＭ（リード・オンリ・メモリ）２３２およびＲＡＭ（ランダム・アクセス・メモリ）２３３を備えた制御部２３０を有している。制御部２３０には、賞球の払い出しを行う賞球払出手段２４０と、始動入賞口２１０と、可変表示装置２０３、保留玉表示装置２０４および各種の表示ランプ２０７等からなる表示装置２５０が接続されている。
【００３９】
賞球払出手段２４０は、いわゆる無限カウンタであり、払い出す賞球の個数を計数する賞球払出計数機２４１と、演算手段２４２と、払出設定手段２４３とを備えている。始動入賞口２１０は、球の入賞を検知するための始動入賞検知スイッチ２１１を有している。
【００４０】
可動入賞口２２０は、球の入賞を検知する入賞検出スイッチ２２１と、入賞した球の個数を計数する入賞計数機２２２と、開閉板２２３を開閉駆動するためのソレノイド２２４と、内部のＶ入賞口２２５に入賞した球を検知するＶ入賞検出スイッチ２２６とを備えている。出力部２６１は、遊技機２００から不利益信号２２、スタート信号２３等を台コントローラ１１に向かって出力する回路部分である。
【００４１】
図９は、ホール管理端末機１００の斜視図である。図１０はホール管理端末機１００の回路構成の概要を示すブロック図である。ホール管理端末機１００は、各遊技機２００及び遊技媒体貸出機３００、計数器４００からの遊技情報（利益信号２１、不利益信号２２、スタート信号２３、特賞信号２４、不正信号２５、確率変動信号２６、計数信号３１、断線信号３３、異常信号３２、売上信号３４等）を受信し、記憶管理している。
【００４２】
ホール管理端末機１００は、各種操作をする操作部１０１と、遊技情報を表示する表示部（ディスプレイ１０２）とを備えている。またホール管理端末機１００には、各種の情報を印刷出力するためのプリンター１１０が接続されている。このほか、ホール管理端末機１００は、音声出力装置１２０と接続され、特賞信号２４などを受信すると、インカム１３或いは店内放送にてその旨を報知するように構成されている。
【００４３】
ホール管理端末機１００は、図１０に示すように、ＣＰＵ１０５と、各種の遊技情報を記憶する遊技情報記憶部１０６と、売上げに関する情報を記憶する売上情報記憶部１０７と台構成比や売上構成比等を算出する第一演算部１０８と第二演算部１０９等を主要部として構成されている。
【００４４】
図１は、遊技場管理装置としてのホール管理端末機１００の機能構成を示したものである。遊技場管理装置としてのホール管理端末機１００は、機種別集計手段１２０と、項目構成比算出手段１３０と、台数管理手段１４０と、貢献度算出手段１５０と、成長性管理部１６０と、グラフ表示部１７０とを備えている。
【００４５】
機種別集計手段１２０は、遊技場５０の経営状態を管理するために各種の項目についてのデータを機種別に集計する部分である。項目構成比算出手段１３０は、機種別集計手段１２０の収集したデータの遊技場全体での合計値に対する機種毎の集計値の比を表した項目構成比を各機種ごとに求める部分である。台数管理手段１４０は、遊技場５０内に設置されている遊技機の台数を機種別に管理する部分である。
【００４６】
貢献度算出手段１５０は、各機種別に遊技場５０の経営に対する貢献度を算出するものである。成長性管理部１６０は、各遊技機の稼働状態に基づいてその人気が上昇中であるか下降中であるか等の指標としての成長性を算出する部分である。グラフ表示部１７０は、貢献度算出手段１５０によって求めた貢献度および成長性管理部１６０によって求めた成長性を一目で総合的に判断できるようにグラフ化して表示する部分である。
【００４７】
機種別集計手段１２０は、機種別売上集計手段１２１と、機種別入玉出玉数集計手段１２２と、機種別貸出数集計手段１２３と、粗利額算出手段１２４とを備えている。機種別売上集計手段１２１は、遊技機で遊技を行うために遊技者が支払った金額としての売上額を機種別に集計するものであり、具体的には、各遊技媒体貸出機３００からの売上信号３４に基づいて各遊技媒体貸出機３００での売上額を取得し、これを遊技媒体貸出機３００と併設されている遊技機の機種別に集計するものである。
【００４８】
機種別入玉出玉数集計手段１２２は、入玉数（遊技場にとって利益となる遊技媒体の数であって遊技機に打ち込まれた遊技媒体の数）と出玉数（遊技場にとって不利益となる遊技媒体の数であって遊技機から賞として払い出された遊技媒体の数）とを各機種別に集計するものである。具体的には、各遊技機での入玉数および出玉数を利益信号２１、不利益信号２２に基づいて認識し機種別に集計するようになっている。
【００４９】
機種別貸出数集計手段１２３は、遊技媒体貸出機３００から遊技者に貸し出した遊技媒体の個数である貸出数を機種別に集計するものであり、売上信号３４と貸出単価に基づいて貸出数を認識するようになっている。粗利額算出手段１２４は、出玉数に貸出数を加えたものから入玉数を減じて得た値に予め定められた景品交換単価を乗じたものを、売上額から差し引いた粗利額（粗利＝貸出金−（出玉＋貸玉−入玉）×景品交換単価）を機種別に求める部分である。なお、景品交換単価とは、遊技者が獲得した遊技媒体を景品交換する場合における遊技媒体１個当たりの価格をいう。
【００５０】
項目構成比算出手段１３０は、売上構成比算出手段１３１と、粗利構成比算出手段１３２と、稼働構成比算出手段１３３とから構成される。売上構成比算出手段１３１は、機種別売上集計手段１２１の収集した売上額の遊技場全体での合計額に対する機種毎の売上額の比である売上構成比（売上構成比＝機種毎の売上額÷遊技場全体での売上額×１００）を各機種ごとに求める部分である。
【００５１】
粗利構成比算出手段１３２は、粗利額算出手段１２４によって求めた機種別に求めた粗利額の遊技場全体での合計額に対する機種毎の粗利額の比である粗利構成比（粗利構成比＝機種毎の粗利額÷遊技場全体としての粗利額×１００）を各機種ごとに求めるものである。稼働構成比算出手段１３３は、グループ（部門）毎での入玉数の合計値に対する当該部門に属する機種毎の入玉数の比としての稼働構成比（稼働構成比＝機種毎入玉数÷部門毎の入玉数×１００）を各機種ごとに求めるものである。ここでは、遊技場５０内に設置した各遊技機を、遊技に用いる遊技媒体の種類の違いに基づいて複数の部門に分けてあり、ここではパチンコ機の部門であるパチンコ部門とスロット機の部門であるスロット部門に区分けしてある。
【００５２】
台数管理手段１４０の有する台構成比算出手段１４１は、遊技場全体での遊技機の総台数に対する機種ごとの設置台数の比を表した台構成比（台構成比＝機種毎の設置台数÷遊技場全体での設置台数×１００）を各機種ごとに求めるものである。部門構成比算出手段１４２は、部門ごとの遊技機の総台数に対する当該部門内での機種毎の設置台数の比を表した部門構成比（部門構成比＝機種毎の設置台数÷部門での設置台数×１００）を各機種毎に求めるものである。
【００５３】
貢献度算出手段１５０は、売上貢献度算出手段１５１と、粗利貢献度算出手段１５２と、稼働貢献度算出手段１５３とを備えている。このうち、売上貢献度算出手段１５１は、売上構成比算出手段１３１によって求めた売上構成比を台構成比算出手段１４１で求めた台構成比で除算することによって、遊技機１台当たりの遊技場全体での平均売上額に対する遊技機１台当たりの機種毎での平均売上額の比を示した売上貢献度（売上貢献度＝売上構成比÷台構成比×１００）を各機種別に求めるものである。
【００５４】
粗利貢献度算出手段１５２は、粗利構成比算出手段１３２によって求めた粗利構成比を台構成比で除することによって遊技機１台当たりの遊技場全体での平均粗利額に対する遊技機１台当たりの機種毎での平均粗利額の比を表した粗利貢献度（粗利貢献度＝稼働構成比÷部門構成比×１００）を各機種別に求めるものである。稼働貢献度算出手段１５３は、稼働構成比算出手段１３３で求めた稼働構成比を部門構成比算出手段１４２によって求めた該当する機種の部門構成比で除することによって、各部門における遊技機１台当たりの平均入玉数に対する遊技機１台当たりの機種毎での平均入玉数の比を示す稼働貢献度（稼働貢献度＝稼働構成比÷部門構成比×１００）を各機種別に求めるものである。
【００５５】
成長性管理部１６０は、入玉数履歴記憶手段１６１と、成長性算出手段１６２とを備えている。入玉数履歴記憶手段１６１は、機種別入玉出玉数集計手段１２２による集計結果のうち、機種別の入玉数を、少なくとも所定日数から成る単位期間の２倍の日数分前までの期間について記憶するものである。ここでは、単位日数を１０日に設定してあり、その３倍である、３０日分の集計結果を入玉数の履歴として記憶するようになっている。
【００５６】
成長性算出手段１６２は、入玉数履歴記憶手段１６１に記憶されている１つの単位期間中における入玉数の平均値とこの単位期間の１つ前の単位期間中における入玉数の平均値との比を表した成長性（成長率＝前期の平均入玉数÷今期の平均入玉数×１００）の値を機種別に求めるものである。なお、ここでは、１日前から１０日前までを今期とし、１１日前から２０日前までを前期とし、２１日前から３０日前までを前々期としている。たとえば、前期の成長率は、前期の平均入玉数を今期の平均入玉数で割ることで算出され、前々期の成長率は、前々期の平均入玉数を前期の平均入玉数で除することによって求められる。
【００５７】
グラフ表示部１７０は、遊技場管理装置としてのホール管理端末機１００の表示部１０２上に確保されるグラフ表示領域１７１と、当該グラフ表示領域１７１に所定のグラフを描画するグラフ描画手段１７２とから構成される。このうち、グラフ表示領域１７１は、図１１に示すように、売上貢献度を示す売上貢献度軸１８１と、粗利貢献度を示す粗利貢献度軸１８２と、稼働貢献度を示す稼働貢献度軸１８３と、成長性を示す成長性軸１８４の４つの座標軸で囲まれた矩形の表示領域である。
【００５８】
売上貢献度軸１８１と粗利貢献度軸１８２とは互いに平行であってこれらの軸における貢献度の増加方向は互いに同一になっている。より具体的には、売上貢献度軸１８１が左側の縦軸であり、粗利貢献度軸１８２は右側の縦軸であって、いずれの軸も上側に向かって貢献度が増加するように設定されている。
【００５９】
成長性軸１８４は、矩形の領域のうち、売上貢献度軸１８１および粗利貢献度軸１８２の高い側に位置する一辺を成しており、売上貢献度軸１８１の存する側に向かって成長性が増加するように軸の目盛りが設定されている。また稼働貢献度軸１８３は、成長性軸１８４と平行な残りの一辺を成し、かつ売上貢献度軸１８１の存する側に向かって貢献度が増加するようになっている。具体的には、稼働貢献度軸１８３は矩形の底辺を成し成長性軸１８４は上辺を成している。また各軸の目盛りは、右側に向かって値が増加するようになっている。
【００６０】
グラフ描画手段１７２は、指定された機種について、売上貢献度の値を売上貢献度軸１８１上に、粗利貢献度の値を粗利貢献度軸１８２上にそれぞれプロットした２つの点を結ぶ第１の直線１８５と、稼働貢献度の値を稼働貢献度軸１８３上に、成長性の値を成長性軸１８４上にそれぞれプロットした２つの点を結ぶ第２の直線１８６とをグラフ表示領域１７１上に描画する機能を備えている。なお、第１の直線１８５および第２の直線１８６の交点がわかりやすくなるように、当該箇所に丸印１８７を表示するようになっている。
【００６１】
各貢献度および成長性は、ａ〜ｅの５段階に分けて評価され、対応する軸にはそれぞれ、ａ〜ｅの目盛りが割り付けられている。各貢献度および成長性の評価は図１１に示すように、ランクａが１５０％以上、ランクｂが１０１％以上１５０％未満、ランクｃが１００％、ランクｄが７０％以上１００％未満、ランクｅが７０％未満になっている。
【００６２】
次に作用を説明する。
図１２は、遊技場管理装置としてのホール管理端末機１００が台構成比を変更し保存するまでの流れを示している。遊技場管理装置としてのホール管理端末機１００は、遊技場５０内にどの機種が何台設置されているかを記憶しており、その記憶内容の登録および変更は、操作部１０１から行うようになっている。操作部１０１からの操作によって台構成が変更された場合には（ステップＳ１００１；Ｙ）、変更後における各機種の設置台数に基づいて台構成比を算出し（ステップＳ１００２）、その算出結果である台構成比を記憶する（ステップＳ１００３）。
【００６３】
一方、部門構成比が変更された場合には（ステップＳ１００１；Ｙ、ステップＳ１００４；Ｙ）、変更後における各部門内での機種の設置台数に基づいて部門構成比を算出し（ステップＳ１００５）、その算出結果である部門構成比を記憶する（ステップＳ１００６）。
【００６４】
図１３は、遊技場管理装置としてのホール管理端末機１００の操作部１０１上に表示される機種別貢献比画面７００の一例を示している。遊技場管理装置としてのホール管理端末機１００は、機種名とその機種の属する部門と、各機種の設置台数、台構成比、部門構成比等の値を各機種ごとに記憶しており、図１２に示す流れに従って設置台数の変更があると、その都度、これらの記憶内容が更新される。たとえば、パチンコ部門の機種「ＡＡＡ」の設置台数を６台から１０台に変更した場合には、全ての機種についての台構成比が変更後の値に基づいて算出され登録される。一方、機種「ＡＡＡ」の増設はパチンコ部門内での変更であるので、スロット部門における部門構成比は影響を受けない。したがって、機種「ＡＡＡ」を増設した場合には、パチンコ部門側だけが修正され、スロット部門側の部門構成比は変更されない。
【００６５】
次に、遊技媒体貸出機３００で遊技媒体の貸し出しを行い、これに基づいて売り上げ貢献度、粗利貢献度等を算出し記憶するまでの流れを図１４〜図１６に従って説明する。遊技者によって遊技媒体貸出機３００に貨幣等が投入されると（ステップＳ１１０１）、投入されたものが真正な紙幣あるいは真正な貨幣かを判定し（ステップＳ１１０２、１１０３）、いずれでもなければ（ステップＳ１１０２；Ｎ、ステップＳ１１０３；Ｎ）、投入されたものを返却する（ステップＳ１１０４）。
【００６６】
真正な貨幣が投入された場合には（ステップＳ１１０２；ＹまたはステップＳ１１０３；Ｙ）、その金額に応じた個数の遊技媒体を遊技媒体貸出機３００から放出し貸し出しを行う（ステップＳ１１０５）。この際遊技媒体貸出機３００は、遊技場管理装置としてのホール管理端末機１００に向けて売上信号３４を出力し（ステップＳ１１０６）、遊技場管理装置としてのホール管理端末機１００はこの売上信号３４を受信して（ステップＳ１１０７）、売上額を記憶する（ステップＳ１１０８）。なお、売上信号３４には、その送出元の遊技媒体貸出機３００の識別番号等が付されており、これによりどの機種で遊技を行うために遊技媒体が貸し出されたかを遊技場管理装置としてのホール管理端末機１００側で認識される。機種別売上集計手段１２１は、入力された売上信号３４に基づいて対応する機種の売上額をその分加算することで、機種別に売上額を累計している。
【００６７】
その後、売上構成比算出手段１３１は、更新後の売上額に基づいて売上構成比を各機種および各部門についてそれぞれ算出する（ステップＳ１１０９）。売上貢献度算出手段１５１は、先に登録しておいた台構成比を読み込み（ステップＳ１１１０）、台構成比と売上構成比算出手段１３１によって求めた売上構成比とから売上貢献度を算出し（ステップＳ１１１１）、記憶する（ステップＳ１１１２）。
【００６８】
ところで、遊技場管理装置としてのホール管理端末機１００の粗利額算出手段１２４は、売上信号３４に基づいて売上額（貸出金）を把握し、これを貸出単価で除することによって遊技媒体の貸し出し数を機種別に算出し登録している。また機種別入玉出玉数集計手段１２２によって機種別に入玉数および出玉数が集計されている。これらから粗利額算出手段１２４は、各機種ごとおよび遊技場全体としての粗利の額を計算している。
【００６９】
粗利構成比算出手段１３２は、粗利の額等に基づいて粗利構成比を算出する（ステップＳ１１１３）。粗利貢献度算出手段１５２は台構成比を読み込み（ステップＳ１１１４）、台構成比と粗利構成比算出手段１３２が算出した粗利構成比とから粗利貢献度を算出し（ステップＳ１１１５）、遊技場管理装置としてのホール管理端末機１００内の所定のメモリにその値を記憶する（ステップＳ１１１６）。
【００７０】
図１７〜図１９は、遊技機からの利益信号２１、不利益信号２２に基づいて入玉数、出玉数を集計し、これに基づいて稼働貢献度、成長性を算出し記憶する際の流れを示している。まず遊技者が遊技媒体を遊技機に打ち込むことで遊技が開始され、遊技機が稼働する（ステップＳ１２０１）。遊技機に遊技媒体が打ち込まれることによって遊技機は入玉数等を収集し（ステップＳ１２０２）、収集した値を示す利益信号２１や不利益信号２２等が遊技機から遊技場管理装置としてのホール管理端末機１００に出力される（ステップＳ１２０３）。遊技場管理装置としてのホール管理端末機１００はこれを受信し（ステップＳ１２０４）、受信した信号に基づいて機種別入玉出玉数集計手段１２２は、各機種ごとに入玉数を累計し記憶する（ステップＳ１２０５）。
【００７１】
次に、稼働構成比算出手段１３３は、記憶されている入玉数から稼働構成比を算出する（ステップＳ１２０６）。稼働貢献度算出手段１５３は、部門構成比算出手段１４２によって予め算出され登録されている部門構成比を読み出し（ステップＳ１２０７）、稼働構成比算出手段１３３によって求めた稼働構成比と部門構成比とから稼働貢献度を算出し（ステップＳ１２０８）、所定のメモリに記憶する（ステップＳ１２０９）。
【００７２】
成長性は以下のようにして求める。成長性管理部１６０の入玉数履歴記憶手段１６１は、機種別入玉出玉数集計手段１２２によって収集された入玉数の履歴を数十日間分記憶している。成長性算出手段１６２は、今期１０日分の入玉数を入玉数履歴記憶手段１６１から読み込み（ステップＳ１２１０）、さらに前期１０日分の入玉数を読み込む（ステップＳ１２１１）。そして今期１０日分の入玉数と前期１０日分の入玉数とから成長性を演算し（ステップＳ１２１２）、演算結果を所定のメモリに記憶する（ステップＳ１２１３）。
【００７３】
上述のような処理により遊技場管理装置としてのホール管理端末機１００は各種のデータを記憶しており、それらを一覧表の形式で操作部１０１上に表示することができる。図２０は、機種別売上データ画面７２０を示している。この画面では、機種名に対応させて、設置台数、売上、粗利、入玉数、出玉数、景品交換単価が表示される。図１３に示した機種別貢献比画面７００では、機種名に対応させて、設置台数、台構成比、部門構成比、売上構成比、売部門構成、粗利構成比、粗部門構成、稼働構成比、売上貢献度、粗利貢献度、稼働貢献度の各項目が表示される。
【００７４】
ここで、売部門構成は、所定の部門の売上額に対する当該部門に属する機種毎の売上額の比を示している。すなわち、売部門構成＝機種売上÷部門売上×１００の算出式によって求めたものである。粗部門構成比は、部門全体の粗利に対する機種毎の粗利の比であり、粗部門構成比＝機種粗利÷部門粗利×１００の算出式で求めたものである。
【００７５】
たとえば、図１３に示した機種「ＡＡＡ」では、その設置台数が６台で、遊技場に設置された全設置台数の中で占める割合（台構成比）は、４．９％であるが、パチンコ機の中で占める割合（部門構成比）は、６．３％になっていることが分かる。
【００７６】
図２１は、機種別成長性画面７３０である。この画面では、機種別に、今期（１〜１０日前）と前期（１１〜２０日前）と前々期（２１〜３０日前）のそれぞれについて、平均入玉数と成長性が表示される。図２２は、機種別貢献度画面７４０を示している。機種別貢献度画面７４０では、各機種ごとに、売上貢献度の評価値、粗利貢献度の評価値、稼働貢献度の評価値および成長性の評価値を示してある。各評価値は、図１３に示した売上貢献度、粗利貢献度、稼働貢献度の各値および図２１に示した成長性の値を、図１１に示した基準に従ってａ〜ｅのランクで表したものである。
【００７７】
売上貢献度は、遊技機１台当たりの遊技場全体での平均売上に対する遊技機１台当たりの機種毎での平均売上の比を表しているので、１台当たりにおける機種毎の売上順位を的確に把握することができる。粗利貢献度は、遊技機１台当たりの遊技上全体での平均粗利に対する遊技機１台当たりの機種毎での平均粗利の比を表しているので、１台当たりにおける機種毎の粗利順位を一目で認識することができる。
【００７８】
稼働貢献度は、遊技機１台当たりの部門全体での入玉数に対する遊技機１台当たりの機種毎での入玉数の比を示しているので、機種毎の稼働順位を一目で認識することができる。また成長性により、稼働率（人気）が上昇傾向にあるのか下降傾向かを機種別に的確かつ容易に認識することができる。
【００７９】
次に、売上貢献度、粗利貢献度、稼働貢献度、成長性の４つの資料を一目で総合的に判断し得るグラフの表示について説明する。図２３は、図１１および図２４に示すようなグラフを表示する際の処理の流れを示している。まず、操作者により機種の選択を受けると（ステップＳ１３０１）、グラフ描画手段１７２は、遊技場管理装置としてのホール管理端末機１００に記憶されている売上貢献度、粗利貢献度、稼働貢献度、成長性を読み出し、これらから図１１等に示すようなグラフを描画するための演算を行い（ステップＳ１３０２）、操作部１０１上に２つの直線およびその交点等を描画する（ステップＳ１３０３）。
【００８０】
たとえば、図１１は、図２２に示した評価値に基づいて、機種「ＡＡＡ」と機種「ＢＢＢ」についてのグラフを示している。機種「ＡＡＡ」の場合、売上貢献度はａ、粗利貢献度はｅ、稼働貢献度はａ、成長性はｄになっている。機種「ＡＡＡ」の場合、交点１８７が表示領域の中心よりやや左上にあるので、総合評価貢献度としては安定していると判断できる。従って、この機種の遊技機に対しては特別に経営改善のための施策をとる必要はない。
【００８１】
機種「ＢＢＢ」の場合、売上貢献度はｅ、粗利貢献度はｅ、稼働貢献度はａ、成長性はｂになっている。グラフの交点１８８が右下にあるので、総合評価貢献度が極めて悪いと判断できる。つまり、機種「ＢＢＢ」を早期に廃棄し、機種変更の施策をとる必要があることを示している。
【００８２】
図２２は、機種「ＫＫＫ」と機種「ＧＧＧ」についてのグラフを示している。機種「ＫＫＫ」の場合、売上貢献度はｅ、粗利貢献度はｂ、稼働貢献度はｅ、成長性はｄになっている。グラフの交点７５１が右上になっている。機種「ＫＫＫ」の総合評価貢献度は、遊技機の粗利はあるが、遊技客の人気が低いことが判断できる。従って、この機種の遊技機に対してはその設置台数を減らすという施策をたてるべきことが分かる。
【００８３】
機種「ＧＧＧ」の場合、売上貢献度はｂ、粗利貢献度はｅ、稼働貢献度はａ、成長性はｅになっている。グラフの交点７５２は領域内の左下になっている。機種「ＧＧＧ」は、売上および粗利は低いが遊技客には人気のある機種であると判断できる。従って、この機種の遊技機に対しては入賞口に遊技媒体が入り難くなるように釘調整する等の施策が適当であることが分かる。
【００８４】
このように売上貢献度、粗利貢献度、稼働貢献度、成長性を一目で総合的に判断できる形式でグラフ化して表示するので、遊技場の経営に対する機種毎の貢献度を容易に総合評価することができ、適切な経営方針をたてることが可能になる。
【００８５】
以上説明した実施の形態では、売上構成比を台構成比で除することによって売上貢献度を、また粗利構成比を台構成比で除することによって粗利貢献度を、稼働構成比を部門構成比で除することによって稼働貢献度をそれぞれ求めるようにしたが、全体平均と機種毎の平均とを求め、機種毎平均を全体平均で除することによって貢献度を求めるようにしてもよい。
【００８６】
この場合、図２５に示すような機能構成になり、全体平均算出手段８０１は、たとえば売上額についての遊技機１台当たりの遊技場全体での平均値を求める。また機種別平均算出手段８０２は、該当する機種の１台当たりの売上の平均値を求める。貢献度算出手段８０３は、売上についての機種別平均を売上の全体平均で除することによって売上貢献度を求める。なお、全体平均と機種別平均の差によって貢献度を示すようにしてもよい。
【００８７】
【発明の効果】
本発明にかかる遊技場管理装置によれば、売上や粗利、稼働状態等の項目について遊技場全体での平均値に対する機種毎の平均値の比を表した売上貢献度、粗利貢献度、稼働貢献度と稼働率の推移を示す成長性とを各機種別に求めるとともに、これらを一目で総合的に判断できる形式でグラフ化して表示するので、遊技場の経営に対する機種毎の貢献度を容易に総合評価することができ、適切な経営方針をたてることができる。その結果、遊技場の経営者等は、どの機種を入れ替えるべきか等の経営方針を的確に定めることができる。
【図面の簡単な説明】
【図１】本発明の一実施の形態に係る遊技場管理装置の機能構成を示すブロック図である。
【図２】本発明の一実施の形態に係る遊技場管理装置を適用した分散型ネットワーク遊技場管理システムを示す説明図である。
【図３】本発明の一実施の形態に係る遊技場管理装置を適用した分散型ネットワーク遊技場管理システムにおける各信号線の接続状態を示す説明図である。
【図４】本発明の一実施の形態に係る遊技場管理装置を適用した遊技場を示す斜視図である。
【図５】本発明の一実施の形態に係る遊技場管理装置を適用した遊技場で使用される遊技媒体貸出機を示す斜視図である。
【図６】本発明の一実施の形態に係る遊技場管理装置を適用した遊技場で使用される遊技媒体貸出機の回路構成を示すブロック図である。
【図７】本発明の一実施の形態に係る遊技場管理装置を適用した遊技場で使用される遊技機を示す正面図である。
【図８】本発明の一実施の形態に係る遊技場管理装置を適用した遊技場で使用される遊技機の回路構成を示すブロック図である。
【図９】本発明の一実施の形態に係る遊技場管理装置としてのホール管理端末機を示す斜視図である。
【図１０】本発明の一実施の形態に係る遊技場管理装置としてのホール管理端末機の回路構成を示すブロック図である。
【図１１】本発明の一実施の形態に係る遊技場管理装置としてのホール管理端末機の表示部上に表示されるグラフの一例を示す説明図である。
【図１２】本発明の一実施の形態に係る遊技場管理装置としてのホール管理端末機で台構成比を変更し保存するまでの流れを示す流れ図である。
【図１３】遊技場管理装置としてのホール管理端末機の操作部上に表示される機種別貢献比画面の一例を示す説明図である。
【図１４】遊技媒体貸出機で遊技媒体の貸し出しを行う際の流れを示す流れ図である。
【図１５】売り上げ貢献度を算出し記憶するまでの流れを示す流れ図である。
【図１６】粗利貢献度を算出し記憶するまでの流れを示す流れ図である。
【図１７】遊技機からの利益信号、不利益信号に基づいて入玉数を集計する際の流れを示す流れ図である。
【図１８】稼働貢献度を算出し記憶する際の流れを示す流れ図である。
【図１９】成長性を算出し記憶する際の流れを示す流れ図である。
【図２０】遊技場管理装置としてのホール管理端末機の表示部上に表示される機種別売上データ画面の一例を示す説明図である。
【図２１】遊技場管理装置としてのホール管理端末機の表示部上に表示される機種別成長性画面の一例を示す説明図である。
【図２２】遊技場管理装置としてのホール管理端末機の表示部上に表示される機種別貢献度画面の一例を示す説明図である。
【図２３】遊技場管理装置としてのホール管理端末機の表示部上にグラフを表示する際の流れを示す流れ図である。
【図２４】本発明の一実施の形態に係る遊技場管理装置としてのホール管理端末機の表示部１０２上に表示されるグラフの他の一例を示す説明図である。
【図２５】全体平均および機種別平均に基づいて貢献度を算出する場合における遊技場管理装置としてのホール管理端末機１００の機能構成を示すブロック図である。
【符号の説明】
２１…利益信号
２２…不利益信号
３４…売上信号
５０…遊技場
１００…遊技場管理装置としてのホール管理端末機
１０１…操作部
１０２…表示部
１２０…機種別集計手段
１２１…機種別売上集計手段
１２２…機種別入玉出玉数集計手段
１２３…機種別貸出数集計手段
１２４…粗利額算出手段
１３０…項目構成比算出手段
１３１…売上構成比算出手段
１３２…粗利構成比算出手段
１３３…稼働構成比算出手段
１４０…台数管理手段
１４１…台構成比算出手段
１４２…部門構成比算出手段
１５０…貢献度算出手段
１５１…売上貢献度算出手段
１５２…粗利貢献度算出手段
１５３…稼働貢献度算出手段
１６０…成長性管理部
１６１…入玉数履歴記憶手段
１６２…成長性算出手段
１７０…グラフ表示部
１７１…グラフ表示領域
１７２…グラフ描画手段
１８１…売上貢献度軸
１８２…粗利貢献度軸
１８３…稼働貢献度軸
１８４…成長性軸
２００…遊技機
３００…遊技媒体貸出機
４００…計数器
５００…ホール管理コンピュータ
【図１】
0004145402.tif 000002
【図２】
0004145402.tif 000003
【図３】
0004145402.tif 000004
【図４】
0004145402.tif 000005
【図５】
0004145402.tif 000006
【図６】
0004145402.tif 000007
【図７】
0004145402.tif 000008
【図８】
0004145402.tif 000009
【図９】
0004145402.tif 000010
【図１０】
0004145402.tif 000011
【図１１】
0004145402.tif 000012
【図１２】
0004145402.tif 000013
【図１３】
0004145402.tif 000014
【図１４】
0004145402.tif 000015
【図１５】
0004145402.tif 000016
【図１６】
0004145402.tif 000017
【図１７】
0004145402.tif 000018
【図１８】
0004145402.tif 000019
【図１９】
0004145402.tif 000020
【図２０】
0004145402.tif 000021
【図２１】
0004145402.tif 000022
【図２２】
0004145402.tif 000023
【図２３】
0004145402.tif 000024
【図２４】
0004145402.tif 000025
【図２５】
0004145402.tif 000026